(57)【要約】【課題】温度変化があった場合でも往路走査および復路走査における水平方向の画素の位置ずれを正確に補正することができる往復偏向回路およびそれを備えた映像表示装置を提供することである。【解決手段】温度変化に伴ってカレントトランス３０の２次巻線Ｓのインダクタンス値が変化し、カレントトランス３０の１次巻線Ｐを流れる入力電流と２次巻線Ｓの出力電圧との位相差にずれが生じる。正の温度係数を有するサーミスタ３００を抵抗５７と直列に挿入することにより温度変化による位相差のずれを補償する。サーミスタ３００を抵抗５７に直列に挿入することにより、カレントトランス３０の感度が変動する。負の温度係数を有するサーミスタ３０１を抵抗５５ｃに直列に挿入してパワーアンプ５５のゲインを調整することによりカレントトランス３０の感度の変動を補償する。【選択図】        図８
2004282520.tif 000002
【特許請求の範囲】
【請求項１】
電子ビームを水平方向に往復偏向させるための往復偏向回路であって、
インダクタンス成分および抵抗成分を有する水平偏向コイルと、
前記水平偏向コイルに水平走査周期の２倍の周期で変化する水平偏向電流を供給する水平偏向電流供給手段と、
前記水平偏向コイルの抵抗成分による水平偏向電流の歪を補正する補正手段とを備え、
前記補正手段は、
前記水平偏向電流を検出する電流検出手段と、
前記電流検出手段により検出された電流に基づいて前記水平偏向コイルに流れる水平偏向電流を制御する電流制御手段と、
前記電流検出手段の温度特性を補償する第１の補償手段とを含むことを特徴とする往復偏向回路。
【請求項２】
前記電流検出手段は、前記水平偏向コイルに直列に接続される１次巻線を有するとともに２次巻線を有するカレントトランスを含み、
前記カレントトランスは、温度上昇に伴って増加するインダクタンスの温度特性を有し、
前記第１の補償手段は、前記カレントトランスの２次巻線に接続されるとともに正の温度係数を有する第１のサーミスタを含むことを特徴とする請求項１記載の往復偏向回路。
【請求項３】
前記電流制御手段は、
前記カレントトランスの２次巻線に流れる電流により発生する電圧を検出する電圧検出手段と、
前記電圧検出手段により検出された電圧に基づいて制御電圧を発生する制御電圧発生手段と、
前記制御電圧発生手段により発生された制御電圧を増幅し、増幅された制御電圧に基づいて前記水平偏向コイルの一端の電位を制御する増幅手段と、
前記カレントトランスの感度の変動を補償する第２の補償手段とを含むことを特徴とする請求項２記載の往復偏向回路。
【請求項４】
前記第２の補償手段は、温度上昇に伴って前記増幅手段の利得を低下させる特性を有する第２のサーミスタを含むことを特徴とする請求項３記載の往復偏向回路。
【請求項５】
前記制御電圧発生手段は、
往路および復路の走査において画面の中心位置を走査すべきタイミングを検出する第１のタイミング検出手段と、
前記水平偏向コイルに流れる水平偏向電流の値が０となるタイミングを検出する第２のタイミング検出手段と、
前記第１のタイミング検出手段により検出されたタイミングと前記第２のタイミング検出手段により検出されたタイミングとが一致するように前記制御電圧を出力する制御電圧出力手段とを含むことを特徴とする請求項３または４記載の往復偏向回路。
【請求項６】
陰極線管と、
前記陰極線管における電子ビームを水平方向に往復偏向させるための往復偏向回路と、
前記陰極線管における電子ビームを垂直方向に偏向させるための垂直偏向回路とを含み、
前記往復偏向回路は、
インダクタンス成分および抵抗成分を有する水平偏向コイルと、
前記水平偏向コイルに水平走査周期の２倍の周期で変化する水平偏向電流を供給する水平偏向電流供給手段と、
前記水平偏向コイルの抵抗成分による水平偏向電流の歪を補正する補正手段とを備え、
前記補正手段は、
前記水平偏向電流を検出する電流検出手段と、
前記電流検出手段により検出された電流に基づいて前記水平偏向コイルに流れる水平偏向電流を制御する電流制御手段と、
前記電流検出手段の温度特性を補償する第１の補償手段とを備えたことを特徴とする映像表示装置。
【発明の詳細な説明】
【０００１】
【発明の属する技術分野】
本発明は、表示画面の水平方向において電子ビームを往復走査するための往復偏向回路およびそれを備えた映像表示装置に関する。
【０００２】
【従来の技術】
陰極線管（以下、ＣＲＴという）ディスプレイ装置等の映像表示装置の分野では、高精細画像の表示に適した往復偏向装置の使用が提案されている。この往復偏向装置は、水平偏向コイルを用いて電子ビームを往復に走査するための装置である。往復偏向装置は、水平偏向コイルが等価的にインダクタンス成分とそれに直列に接続された抵抗成分とを有しているため、垂直に一列に並ぶべき画素が往路の走査と復路の走査との間で水平方向にずれる場合がある。
【０００３】
図９は水平偏向コイルに流れる水平偏向電流の経時変化を説明するための図である。また、図１０は図９に示す水平偏向電流の電流波形に対応した表示画面の状態を説明するための図である。なお、図１０において、水平方向をｘ座標と呼び、垂直方向をｙ座標と呼ぶ。
【０００４】
図９（ａ）には、水平偏向電流の理想的な電流波形が示されている。図９（ａ）に示す状態においては、電子ビームの往路の走査期間Ｔ１の長さと復路の走査期間Ｔ２の長さとが一致し、往路走査および復路走査で電流が０になる時点ｔ１，ｔ２がそれぞれ走査期間Ｔ１，Ｔ２の中間点と一致している。そのため、図１０（ａ）に示すように、垂直に一列に並ぶべき画素が往路走査および復路走査において同一ｘ座標上に表示される。例えば、往路走査および復路走査において、それぞれ、図１０（ａ）の画面水平方向の中央の画素ｅ１，ｅ２の表示位置が同一ｘ座標上にくる。
【０００５】
図９（ｂ）には、水平偏向コイルの抵抗成分による歪みを有する電流波形が示されている。図９（ｂ）に示す状態においては、往路の走査期間Ｔ３の長さと復路の走査期間Ｔ４の長さとが一致しているが、往路および復路の走査期間Ｔ３，Ｔ４の中間点ｔ４，ｔ６と水平偏向電流が０になる時点ｔ３，ｔ５とは一致しない。そのため、図１０（ｂ）に示すように、垂直に一列に並ぶべき画素が往路走査および復路走査においてジグザグにずれるジグザグ状縦線障害を生じる。例えば、往路走査および復路走査において、それぞれ、図１０（ｂ）の画面水平方向の中央の画素ｅ１，ｅ２の表示位置のｘ座標が異なる。
【０００６】
図１１は水平偏向電流の歪みを低減してジグザグ状縦線障害を防止するための構成を等価回路で示した回路図である。この回路は、双方向水平偏向システムで用いられている（例えば、特許文献１参照）。
【０００７】
図１１において、水平偏向コイル２１２および負抵抗２１８は互いに直列に接続されている。この負抵抗２１８は水平偏向コイル２１２の抵抗成分ＲＨ  を打ち消す。したがって、図９（ａ）に示すように、水平偏向電流を理想的な波形にすることができるので、垂直に一列に並ぶべき画素が往路走査および復路走査においてジグザグにずれるジグザグ状縦線障害を防止することができる。
【０００８】
【特許文献１】
特開平７−２０３２３８号公報
【０００９】
【発明が解決しようとする課題】
上記の従来の往復偏向方式の水平偏向回路では、水平偏向電流を検出するために負抵抗２１８を構成する回路にカレントトランスが用いられている。このカレントトランスは温度特性を有するため、周囲の温度が変化するとインダクタンスが変化する。それにより、カレントトランスの入力電流と出力電圧との間で位相差のずれが生じる。そのため、負抵抗２１８により水平偏向コイル２１２の抵抗成分ＲＨ  を十分に打ち消すことができず、往路走査および復路走査における水平方向の画素の表示位置を正確に一致させることができない。
【００１０】
本発明の目的は、温度変化があった場合でも往路走査および復路走査における水平方向の画素の位置ずれを正確に補正することができる往復偏向回路およびそれを備えた映像表示装置を提供することである。
【００１１】
【課題を解決するための手段】
（１）第１の発明
本発明に係る往復偏向装置は、電子ビームを水平方向に往復偏向させるための往復偏向回路であって、インダクタンス成分および抵抗成分を有する水平偏向コイルと、水平偏向コイルに水平走査周期の２倍の周期で変化する水平偏向電流を供給する水平偏向電流供給手段と、水平偏向コイルの抵抗成分による水平偏向電流の歪を補正する補正手段とを備え、補正手段は、水平偏向電流を検出する電流検出手段と、電流検出手段により検出された電流に基づいて水平偏向コイルに流れる水平偏向電流を制御する電流制御手段と、電流検出手段の温度特性を補償する第１の補償手段とを含むものである。
【００１２】
第１の発明に係る往復偏向装置においては、インダクタンス成分および抵抗成分を有する水平偏向コイルに水平走査周期の２倍の周期で変化する水平偏向電流が水平偏向電流供給手段により供給され、補正手段により水平偏向コイルの抵抗成分による水平偏向電流の歪が補正される。この補正手段においては、水平偏向電流が電流検出手段により検出され、その検出された電流に基づいて水平偏向コイルに流れる水平偏向電流が電流制御手段により制御され、電流検出手段の温度特性が第１の補償手段により補償される。
【００１３】
この場合、電流検出手段の温度特性が第１の補償手段により補償されるので、周囲の温度が変化しても、電流検出手段の入力電流と出力電圧との位相差のずれが生じない。したがって、補正手段により水平偏向電流の歪を補正することができる。その結果、温度変化があった場合でも往復偏向走査時の往路走査および復路走査における水平方向の画素の位置ずれを正確に補正することができ、垂直に一列に並ぶべき画素が往路走査および復路走査においてジグザグにずれるジグザグ状縦線障害の発生が防止される。
【００１４】
（２）第２の発明
第２の発明に係る往復偏向回路は、第１の発明に係る往復偏向回路の構成において、電流検出手段は、水平偏向コイルに直列に接続される１次巻線を有するとともに２次巻線を有するカレントトランスを含み、カレントトランスは、温度上昇に伴って増加するインダクタンスの温度特性を有し、第１の補償手段は、カレントトランスの２次巻線に接続されるとともに正の温度係数を有する第１のサーミスタを含むものである。
【００１５】
この場合、カレントトランスの１次巻線は水平偏向コイルに接続され、カレントトランスの２次巻線は第１のサーミスタに接続される。それにより、温度が変化することにより、カレントトランスのインダクタンスが変化しても、第１のサーミスタの正の温度特性によりカレントトランスの１次巻線の入力電流と２次巻線の出力電圧との位相差のずれを補償することができる。
【００１６】
（３）第３の発明
第３の発明に係る往復偏向回路は、第２の発明に係る往復偏向回路の構成において、電流制御手段は、カレントトランスの２次巻線に流れる電流により発生する電圧を検出する電圧検出手段と、電圧検出手段により検出された電圧に基づいて制御電圧を発生する制御電圧発生手段と、制御電圧発生手段により発生された制御電圧を増幅し、増幅された制御電圧に基づいて水平偏向コイルの一端の電位を制御する増幅手段と、カレントトランスの感度の変動を補償する第２の補償手段とを含むものである。
【００１７】
この場合、電圧検出手段によりカレントトランスの２次巻線に流れる電流により発生する出力電圧が検出され、検出された出力電圧に基づいて制御電圧発生手段により制御電圧が発生され、その発生された制御電圧が増幅され、その増幅された制御電圧に基づいて水平偏向コイルの一端の電位が増幅手段により制御される。それにより、水平偏向コイルの抵抗成分による水平偏向電流の歪が補正される。
【００１８】
ここで、第１の補償手段を設けたことによりカレントトランスの感度が変動する場合、第２の補償手段によりカレントトランスの感度の変動が補償される。これにより、温度が変化することによりカレントトランスの感度が変動しても、水平偏向電流の歪を正確に補正することができる。
【００１９】
（４）第４の発明
第４の発明に係る往復偏向回路は、第３の発明に係る往復偏向回路の構成において、第２の補償手段は、温度上昇に伴って増幅手段の利得を低下させる特性を有する第２のサーミスタを含むものである。
【００２０】
温度上昇に伴って増幅手段の利得を低下させる第２のサーミスタの特性によりカレントトランスの感度を補償することができるので、簡易な回路で容易に感度の補償を行うことができる。
【００２１】
（５）第５の発明
第５の発明に係る往復偏向回路は、第３または第４の発明に係る往復偏向回路の構成において、制御電圧発生手段は、往路および復路の走査において画面の中心位置を走査すべきタイミングを検出する第１のタイミング検出手段と、水平偏向コイルに流れる水平偏向電流の値が０となるタイミングを検出する第２のタイミング検出手段と、第１のタイミング検出手段により検出されたタイミングと第２のタイミング検出手段により検出されたタイミングとが一致するように制御電圧を出力する制御電圧出力手段とを含むものである。
【００２２】
この場合、制御電圧発生手段においては、第１のタイミング検出手段により往路および復路の走査において画面の中心位置を走査すべきタイミングが検出され、第２のタイミング検出手段により水平偏向コイルに流れる水平偏向電流の値が０となるタイミングが検出され、第１のタイミング検出手段が検出したタイミングと第２のタイミング検出手段が検出したタイミングとが一致するように制御電圧出力手段により制御電圧が出力される。これにより、水平偏向コイルの抵抗成分により水平偏向電流に歪みが発生することが防止され、垂直に一列に並ぶべき画素が往路走査および復路走査においてジグザグにずれるジグザグ状縦線障害の発生が防止される。
【００２３】
（６）第６の発明
第６の発明に係る映像表示装置は、陰極線管と、陰極線管における電子ビームを水平方向に往復偏向させるための往復偏向回路と、陰極線管における電子ビームを垂直方向に偏向させるための垂直偏向回路とを含み、往復偏向回路は、インダクタンス成分および抵抗成分を有する水平偏向コイルと、水平偏向コイルに水平走査周期の２倍の周期で変化する水平偏向電流を供給する水平偏向電流供給手段と、水平偏向コイルの抵抗成分による水平偏向電流の歪を補正する補正手段とを備え、補正手段は、水平偏向電流を検出する電流検出手段と、電流検出手段により検出された電流に基づいて水平偏向コイルに流れる水平偏向電流を制御する電流制御手段と、電流検出手段の温度特性を補償する第１の補償手段とを備えたものである。
【００２４】
第６の発明に係る映像表示装置においては、陰極線管と、陰極線管における電子ビームを水平方向に往復偏向させるための往復偏向回路と、陰極線管における電子ビームを垂直方向に偏向させるための垂直偏向回路とから構成される。その往復偏向回路においては、インダクタンス成分および抵抗成分を有する水平偏向コイルに水平走査周期の２倍の周期で変化する水平偏向電流が水平偏向電流供給手段により供給され、補正手段により水平偏向コイルの抵抗成分による水平偏向電流の歪が補正される。この補正手段においては、水平偏向電流が電流検出手段により検出され、その検出された電流に基づいて水平偏向コイルに流れる水平偏向電流が電流制御手段により制御され、電流検出手段の温度特性が第１の補償手段により補償される。
【００２５】
この場合、電流検出手段の温度特性が第１の補償手段により補償されるので、周囲の温度が変化しても、電流検出手段の入力電流と出力電圧との位相差のずれが生じない。したがって、補正手段により水平偏向電流の歪を補正することができる。その結果、温度変化があった場合でも往復偏向走査時の往路走査および復路走査における水平方向の画素の位置ずれを正確に補正することができ、垂直に一列に並ぶべき画素が往路走査および復路走査においてジグザグにずれるジグザグ状縦線障害の発生が防止され、歪のない映像信号を陰極線管に表示することができる。
【００２６】
【発明の実施の形態】
以下、図面を用いて本発明の実施の形態に係る往復偏向回路およびそれを備えた映像表示装置について説明する。
【００２７】
図１は本発明の実施の形態に係る映像表示装置１００の構成を示すブロック図である。
【００２８】
図１の映像表示装置１００は、映像信号処理回路１、色信号処理回路２、同期信号分離回路３、垂直偏向回路５、水平偏向回路６および陰極線管（以下、ＣＲＴと呼ぶ。）７を含む。ＣＲＴ７には、垂直偏向回路５の垂直偏向コイルＬＶおよび水平偏向回路６の水平偏向コイルＬＨが取り付けられている。
【００２９】
図１の映像信号処理回路１および同期信号分離回路３には、映像信号ＴＶが与えられる。
【００３０】
同期信号分離回路３は、与えられた映像信号ＴＶから垂直同期信号ＶＳおよび水平同期信号ＨＳを分離する。そして、同期信号分離回路３は、分離した垂直同期信号ＶＳを映像信号処理回路１、垂直偏向回路５および水平偏向回路６へ与え、分離した水平同期信号ＨＳを映像信号処理回路１および水平偏向回路６へ与える。
【００３１】
一方、映像信号処理回路１は、同期信号分離回路３より与えられる垂直同期信号ＶＳおよび水平同期信号ＨＳに応答して、与えられた映像信号ＴＶより色差信号（Ｉ、Ｑ）および輝度信号Ｙを抽出し、色信号処理回路２へ与える。色信号処理回路２は、色差信号（Ｉ、Ｑ）および輝度信号Ｙに基づき原色信号ＤＳを再生し、ＣＲＴ７へ出力する。
【００３２】
垂直偏向回路５は、同期信号分離回路３より与えられる垂直同期信号ＶＳを用いてＣＲＴ７に取り付けられた垂直偏向コイルＬＶに垂直偏向電流ＩＶを与える。
【００３３】
水平偏向回路６は、同期信号分離回路３より与えられる垂直同期信号ＶＳおよび水平同期信号ＨＳを用いてＣＲＴ７に取り付けられた水平偏向コイルＬＨに水平偏向電流ＩＨを与える。
【００３４】
垂直偏向回路５は、同期信号分離回路３より与えられる垂直同期信号ＶＳを用いてＣＲＴ７に取り付けられた垂直偏向コイルＬＶに垂直偏向電流ＩＶを与える。水平偏向回路６は、同期信号分離回路３より与えられる垂直同期信号ＶＳおよび水平同期信号ＨＳを用いてＣＲＴ７に取り付けられた水平偏向コイルＬＨに水平偏向電流ＩＨを与える。水平偏向電流ＩＨは、水平走査周期の２倍の周期を有する略三角形状の鋸波形を有する。
【００３５】
ＣＲＴ７においては、垂直偏向回路５の垂直偏向コイルＬＶおよび水平偏向回路６の水平偏向コイルＬＨの働きにより電子ビームが走査され、色信号処理回路２より与えられる原色信号ＤＳに基づく映像が表示される。
【００３６】
図２は図１の水平偏向回路６の構成を示す回路図である。
図２の水平偏向回路６は、パルス生成回路１０、電圧発生回路２０、カレントトランス３０、共振回路４０および振幅変動補正回路５０を含む。
【００３７】
図２の電圧発生回路２０は、位相比較器２１、ローパスフィルタ（以下、ＬＰＦと略記する。）回路２２、パルス幅制御部２３、スイッチング回路２４およびコンパレータ２６を含む。ここで、電圧発生回路２０のスイッチング回路２４は、トランジスタ２４ａ，２４ｂおよびダイオード（整流素子）２４ｃ，２４ｄを備える。
【００３８】
カレントトランス３０は、１次巻線Ｐおよび２次巻線Ｓを含む。共振回路４０は、水平偏向コイルＬＨおよび共振コンデンサ４１を含む。水平偏向コイルＬＨは、インダクタンス成分Ｌおよび抵抗成分Ｒを有する。
【００３９】
振幅変動補正回路５０は、位相比較器５１、ローパスフィルタ（以下、ＬＰＦと略記する。）回路５２、減衰器５３、パワーアンプ５５、コンパレータ５６、抵抗５７およびサーミスタ３００を含む。ここで、サーミスタ３００としては、ＰＴＣ（正温度係数）サーミスタを用いる。振幅変動補正回路５０のパワーアンプ５５は、オペアンプ５５ｂ、抵抗５５ａ，５５ｃおよびサーミスタ３０１を含む。ここで、サーミスタ３０１としては、ＮＴＣ（負温度係数）サーミスタを用いる。
【００４０】
パルス生成回路１０には図１の同期信号分離回路３より水平同期信号ＨＳが与えられる。パルス生成回路１０は、入力された水平同期信号ＨＳより電子ビームを水平方向に往復偏向させるためのタイミングおよび偏向方向を示す往復タイミングパルスＳＤならびに表示画面上における電子ビームの理想的な中心位置を示すラインセンターパルスＬＣを生成する。パルス生成回路１０は、生成した往復タイミングパルスＳＤを電圧発生回路２０に与え、生成したラインセンターパルスＬＣを振幅変動補正回路５０に与える。
【００４１】
ここで、電圧発生回路２０の動作について図２および図３に基づき説明する。図３は電圧発生回路２０の内部で発生する各種信号および電流の例を示す波形図である。図３においては、往路および復路の切替タイミングが一点鎖線Ｔｉにより示されている。
【００４２】
電圧発生回路２０において、パルス生成回路１０より与えられた往復タイミングパルスＳＤは位相比較器２１に入力される。図３（ａ）に位相比較器２１に入力される往復タイミングパルスＳＤの波形の一例を示す。図３（ａ）によれば、例えば、往復タイミングパルスＳＤは、論理ハイのときに電子ビームを往方向（画面の左から右の方向）に偏向することを示し、論理ローのときに電子ビームを復方向（画面の右から左の方向）に偏向することを示す。そして、電圧発生回路２０の内部では、往復タイミングパルスＳＤに基づいて、以下に示すように、水平偏向電流のフィードバック制御が行われる。
【００４３】
パルス幅制御部２３においては、後述の制御電圧ＰＶの電圧のレベルに基づいてパルス信号ＴＳ，ＲＳが生成される。パルス信号ＴＳ，ＲＳは、図３（ｂ），（ｃ）に示すように、互いに逆位相となっている。パルス幅制御部２３は、生成したパルス信号ＴＳ，ＲＳをスイッチング回路２４に与える。
【００４４】
トランジスタ２４ａのベースにパルス幅制御部２３からのパルス信号ＴＳが与えられ、コレクタは電源端子２４ｅに接続され、エミッタはノードＮ１に接続されている。また、トランジスタ２４ｂのベースにパルス幅制御部２３からのパルス信号ＲＳが与えられ、コレクタはノードＮ１に接続され、エミッタは接地端子に接続されている。ダイオード２４ｃのアノードはノードＮ１に接続され、カソードは電源端子２４ｅに接続されている。ダイオード２４ｄのアノードは接地端子に接続され、カソードはノードＮ１に接続されている。
【００４５】
パルス信号ＴＳが論理ハイになり、パルス信号ＲＳが論理ローになると、トランジスタ２４ａがオンし、トランジスタ２４ｂがオフする。それにより、電源端子２４ｅからトランジスタ２４ａを通して共振コンデンサ４１に電流が流れる。パルス信号ＴＳが論理ローになり、パルス信号ＲＳが論理ハイになると、トランジスタ２４ａがオフし、トランジスタ２４ｂがオンする。それにより、共振コンデンサ４１からトランジスタ２４ｂを通して接地端子に電流が流れる。このようにして、図３（ｄ）に示すように、水平偏向コイルＬＨに水平偏向電流ＩＨが流れる。このとき、ノードＮ１には矩形電圧が発生する。この場合の水平偏向電流ＩＨは往復タイミングにずれを生じている。
【００４６】
一方、コンパレータ２６には、ノードＮ１に発生する矩形電圧および基準電圧ＶＲＥＦ  が入力されている。
【００４７】
コンパレータ２６は、ノードＮ１の矩形電圧と基準電圧ＶＲＥＦ  とを比較する。例えば、コンパレータ２６は、ノードＮ１の矩形電圧が基準電圧ＶＲＥＦ  より高い場合に論理ハイの位相比較パルスＣＤを位相比較器２１に出力し、矩形電圧が基準電圧ＶＲＥＦ  よりも低い場合に論理ローの位相比較パルスＣＤを位相比較器２１に出力する。図３（ｅ）に、コンパレータ２６から出力される位相比較パルスＣＤの波形の一例を示す。
【００４８】
位相比較器２１は、パルス生成回路１０より与えられる往復タイミングパルスＳＤとコンパレータ２６より与えられる位相比較パルスＣＤとの位相比較を行う。この位相比較は、往復タイミングパルスＳＤおよび位相比較パルスＣＤのそれぞれの立ち上がりタイミングまたは立下りタイミングに基づき行われる。位相比較により得られた位相差成分は位相差信号ＰＤとしてＬＰＦ回路２２へ出力される。図３（ｆ）に、位相比較器２１により出力される位相差信号ＰＤの波形の一例を示す。
【００４９】
ＬＰＦ回路２２は、入力される位相差信号ＰＤを積分し、制御電圧ＰＶを生成する。図３（ｇ）に、ＬＰＦ回路２２により生成される制御電圧ＰＶの一例を示す。パルス幅制御部２３は、制御電圧ＰＶに基づいて、上記のパルス信号ＴＳ，ＲＳを発生する。
【００５０】
このようにして、図３（ｈ）に示すように水平偏向電流ＩＨの往路および復路の切替タイミングが正確に制御される。
【００５１】
続いて、振幅変動補正回路５０の動作について図２および図４に基づき説明する。
【００５２】
図４は本実施の形態に係る振幅振動補正回路５０により発生する各種信号および電流の例を示す波形図である。図４においては、往路および復路の切替タイミングが一点鎖線Ｔｉにより示されている。
【００５３】
パルス生成回路１０より与えられたラインセンターパルスＬＣは位相比較器５１に入力される。位相比較器５１に入力されるラインセンターパルスＬＣの波形の一例を図４（ａ）に示す。図４（ａ）において、ラインセンターパルスＬＣは、その立ち上がりタイミングおよび立下りタイミングにより往路の走査および復路の走査における理想的な中心タイミングを示す。
【００５４】
一方、水平偏向コイルＬＨに直列にカレントトランス３０の１次巻線Ｐが接続されている。２次巻線Ｓの一端は接地端子に接続され、他端はノードＶ７に接続されている。ノードＶ７は抵抗５７およびサーミスタ３００を介して接地端子に接続されている。カレントトランス３０の１次巻線Ｐには図３（ｈ）に示す水平偏向電流ＩＨが流れ、２次巻線Ｓには水平偏向電流ＩＨに基づく２次電流が流れる。図４（ｂ）に、２次巻線Ｓに流れる２次電流ＩＨ２の波形の一例を示す。
【００５５】
２次電流ＩＨ２が抵抗５７およびサーミスタ３００を流れることによりノードＶ７に電圧が発生する。ノードＶ７の電圧はコンパレータ５６および減衰器５３に供給される。
【００５６】
コンパレータ５６は、ノードＶ７の電圧と接地電位とを比較し、ゼロクロスパルスＣＤ２を出力する。例えば、コンパレータ５６は、ノードＶ７の電圧が接地電位より高い場合に論理ハイのゼロクロスパルスＣＤ２を位相比較器５１に出力し、ノードＶ７の電圧が接地電位より低い場合に論理ローのゼロクロスパルスＣＤ２を位相比較器５１に出力する。図４（ｃ）にコンパレータ５６から出力されるゼロクロスパルスＣＤ２の波形の一例を示す。ゼロクロスパルスＣＤ２の立ち上がりタイミングおよび立ち下がりタイミングは、水平偏向電流ＩＨが電流値０のレベルを交差するタイミング（ゼロクロス点）に相当する。
【００５７】
位相比較器５１は、パルス生成回路１０より与えられるラインセンターパルスＬＣとコンパレータ５６より与えられるゼロクロスパルスＣＤ２との位相比較を行う。この位相比較は、ラインセンターパルスＬＣおよびゼロクロスパルスＣＤ２のそれぞれの立ち上がりタイミングおよび立下りタイミングに基づき行われる。位相比較により得られた位相差成分は位相差信号ＰＤ２としてＬＰＦ回路５２へ出力される。図４（ｄ）に、位相比較器５１により出力される位相差信号ＰＤ２の波形の一例を示す。
【００５８】
ＬＰＦ回路５２は、入力される位相差信号ＰＤ２を積分し、制御電圧ＰＶ２を生成する。ＬＰＦ回路５２により生成された制御電圧ＰＶ２は減衰器５３へ与えられる。図４（ｅ）に、ＬＰＦ回路５２により生成される制御電圧ＰＶ２の波形の一例を示す。
【００５９】
ここで、減衰器５３およびパワーアンプ５５の動作について説明する。なお、パワーアンプ５５のサーミスタ３０１の働きについては後述する。
【００６０】
減衰器５３の入力端子には、ノードＶ７の電圧が与えられる。減衰器５３は、ノードＶ７の電圧を制御電圧ＰＶ２に基づいて減衰させ、減衰された電圧を振幅変動補正信号としてパワーアンプ５５に与える。
【００６１】
パワーアンプ５５は、減衰器５３より与えられる振幅変動補正信号を反転増幅し、１次巻線Ｐの一端のノードＶ８に与える。それにより、ノードＶ８の電圧が上昇し、水平偏向電流ＩＨが減少する。その結果、１次巻線Ｐに流れる水平偏向電流ＩＨが図４（ｆ）に示すように補正される。このようにして、水平偏向コイルＬＨには、抵抗成分Ｒによる歪みがない理想的な水平偏向電流ＩＨが流れることとなる。
【００６２】
次に、サーミスタ３００およびのサーミスタ３０１の働きについて説明する。
図５はカレントトランス３０の温度特性を示すグラフである。
【００６３】
図５の縦軸はカレントトランス３０の２次巻線Ｓのインダクタンス値を示し、横軸はカレントトランス３０の温度を示す。
【００６４】
図５に示すように、カレントトランス３０の２次巻線Ｓのインダクタンス値Ｌは、カレントトランス３０の温度にほぼ比例した値となる。例えば、カレントトランス３０の温度がｔから（ｔ＋Δｔ）に上昇した場合には、カレントトランス３０の２次巻線Ｓのインダクタンス値ＬはＬｓから（Ｌｓ＋ΔＬｓ）に増加し、カレントトランス３０の温度がｔから（ｔ−Δｔ）に低下した場合には、カレントトランス３０の２次巻線Ｓのインダクタンス値ＬはＬｓから（Ｌｓ−△Ｌｓ）に減少する。
【００６５】
したがって、カレントトランス３０の２次巻線Ｓのインダクタンス値Ｌが変化することにより、カレントトランスの１次巻線Ｐと２次巻線Ｓとの間で位相差のずれが生じる。そのため、振幅変動補正回路５０において水平偏向コイルＬＨの抵抗成分ＲＨ  を十分に打ち消すことができず、図４（ｆ）に示すような理想的な水平偏向電流ＩＨを得ることができない。
【００６６】
以下、温度変化によるインダクダンス値Ｌの変化を補償する方法について説明する。
【００６７】
図６はサーミスタ３００，３０１を挿入していない場合のカレントトランス３０およびパワーアンプ５５の回路図である。
【００６８】
まず、図６のカレントトランス３０の１次巻線Ｐを流れる入力電流と２次巻線Ｓの両端の出力電圧との位相差θは、次式で表される。
【００６９】
【数１】
2004282520.tif 000003
【００７０】
式（１）のＲ０はカレントトランス３０の２次巻線Ｓ側の実効出力抵抗（以下、抵抗値と呼ぶ。）を示し、Ｌｓは２次巻線Ｓのインダクタンス値を示し、ｆｈは入力水平周波数を示す。なお、式（１）の導出方法の詳細については後述する。
【００７１】
図６に示すカレントトランス３０の周囲温度ｔが温度（ｔ＋Δｔ）まで上昇した場合、図５に示すように、カレントトランス３０の２次巻線Ｓのインダクタンス値ＬがＬｓから（Ｌｓ＋ΔＬｓ）に増加する。その結果、図６のカレントトランス３０の１次巻線Ｐを流れる入力電流と２次巻線Ｓの両端の出力電圧との位相差θは次式で表されるように変化する。
【００７２】
【数２】
2004282520.tif 000004
【００７３】
式（１）および式（２）によれば、温度が上昇するに伴って、式（２）の分母成分が大きな値を示し、図６のカレントトランス３０の１次巻線Ｐを流れる入力電流と２次巻線Ｓの出力電圧との位相差θにずれが生じる。
【００７４】
次に、図７はサーミスタ３００を挿入した場合のカレントトランス３０およびパワーアンプ５５の回路図である。本実施の形態に係る往復偏向回路６においては、正温度係数を有するサーミスタ３００を用いて位相差θのずれを補償する。
【００７５】
図７に示すように、サーミスタ３００を抵抗５７に直列に挿入した場合、式（１）に示すカレントトランス３０の１次巻線Ｐを流れる入力電流と２次巻線Ｓの出力電圧との位相差θは、次式のように表される。
【００７６】
【数３】
2004282520.tif 000005
【００７７】
カレントトランス３０の周囲温度ｔが温度（ｔ＋Δｔ）まで上昇した場合、図５に示すように、カレントトランス３０の２次巻線Ｓのインダクタンス値Ｌｓはインダクタンス値（Ｌｓ＋ΔＬｓ）まで増加する。また、サーミスタ３００の抵抗値ＲＳ１もインダクタンス値の増加分に応じて抵抗値（ＲＳ１＋ΔＲＳ１）に増加する。その結果、位相差θは次式で表される。
【００７８】
【数４】
2004282520.tif 000006
【００７９】
式（４）の右辺の分母成分が増加するにつれて分子成分も増加する。その結果、図７のカレントトランス３０の１次巻線Ｐを流れる入力電流と２次巻線Ｓの出力電圧との位相差θにずれが生じず、位相差θを一定に保つことができる。
【００８０】
以上のように、正の温度係数を有するサーミスタ３００を抵抗５７と直列に挿入することにより温度変化による位相差θのずれを補償することができる。
【００８１】
ところで、サーミスタ３００を抵抗５７に直列に挿入することにより、カレントトランス３０の感度が変動する。以下、カレントトランス３０の感度の変動を補償する方法について説明する。
【００８２】
まず、図６のカレントトランス３０の感度は次式で表される。
【００８３】
【数５】
2004282520.tif 000007
【００８４】
ここで、Ｒ０はカレントトランス３０の出力抵抗値を示し、Ｋは１〜２次結合係数を示し、ｎは巻き線比を示す。なお、式（５）の導出方法の詳細については後述する。
【００８５】
図７に示すように、カレントトランス３０の１次巻線Ｐを流れる入力電流と２次巻線Ｓの出力電圧との位相差θのずれを補償するためにサーミスタ３００が挿入された場合、式（５）のカレントトランス３０の感度は次式のように表される。
【００８６】
【数６】
2004282520.tif 000008
【００８７】
カレントトランス３０の周囲温度ｔが温度（ｔ＋Δｔ）まで上昇した場合、正の温度係数を有するサーミスタ３００の抵抗値ＲＳ１は抵抗値（ＲＳ１＋ΔＲＳ１）に増加する。その結果、カレントトランス３０の感度は次式で表されるように変化する。
【００８８】
【数７】
2004282520.tif 000009
【００８９】
このように、カレントトランス３０の１次巻線Ｐを流れる入力電流と２次巻線Ｓの出力電圧との位相差θのずれを補償するためにサーミスタ３００を挿入することによりカレントトランス３０の感度が大きくなる。ここで、カレントトランス３０の感度自体の補償を行うことは容易でないため、以下に示すように、パワーアンプ５５のゲインを調整することによりカレントトランス３０の感度の変化による水平偏向電流の変動を補償する。
【００９０】
図７のパワーアンプ５５のゲインＧは、次式で表される。
【００９１】
【数８】
2004282520.tif 000010
【００９２】
Ｒ１は抵抗５５ａの抵抗値を示し、Ｒ２は抵抗５５ｃの抵抗値を示す。
次に、図８は図７の水平偏向回路６にサーミスタ３０１を挿入した場合の回路図である。
【００９３】
図８に示すように、抵抗５５ｃと直列にサーミスタ３０１が挿入された場合、パワーアンプ５５のゲインＧは、次式で表される。
【００９４】
【数９】
2004282520.tif 000011
【００９５】
カレントトランス３０の周囲温度ｔが温度（ｔ＋Δｔ）まで上昇した場合、サーミスタ３０１の抵抗値ＲＳ２は抵抗値（ＲＳ２＋ΔＲＳ２）まで増加する。その結果、パワーアンプ５５のゲインＧは、次式で表される。
【００９６】
【数１０】
2004282520.tif 000012
【００９７】
なお、ノードＶ８における出力電圧ＯＰは、カレントトランス３０の感度とパワーアンプ５５のゲインＧとの積で表される。したがって、周囲温度ｔでの出力電圧ＯＰと周囲温度（ｔ＋Δｔ）での出力電圧ＯＰとが等しくなるようにパワーアンプ５５のゲインＧを調整することにより、カレントトランス３０の感度の変動による水平偏向電流の変動を補償することができる。周囲温度ｔでの出力電圧ＯＰと周囲温度（ｔ＋Δｔ）での出力電圧ＯＰとが等しくなるためには、上式（６），（７），（９），（１０）より次式が成立する必要がある。
【００９８】
【数１１】
2004282520.tif 000013
【００９９】
式（１１）より、周囲温度ｔが温度（ｔ＋△ｔ）まで上昇した場合のサーミスタ３０１の抵抗値ＲＳ２の増加分△ＲＳ２は、次式で表される。
【０１００】
【数１２】
2004282520.tif 000014
【０１０１】
式（１２）を満たすサーミスタ３０１を抵抗５５ｃに直列に挿入してパワーアンプ５５のゲインＧを調整することによりカレントトランス３０の感度の変動を補償することができる。
【０１０２】
このように、本発明の実施の形態に係る水平偏向回路６においては、周囲の温度変化により生じるカレントトランスの１次巻線Ｐの入力電流と２次巻線Ｓの出力電圧との位相差のずれをサーミスタ３００により補償することができる。また、サーミスタ３００を挿入することにより生じるカレントトランス３０の感度の変動をサーミスタ３０１を挿入しパワーアンプ５５のゲインＧを調整することにより補償することができる。
【０１０３】
以上のことより、本発明に係る水平偏向回路６では、温度変化があった場合でもカレントトランス３０の温度変化による入力電流と出力電圧との位相差のずれを補償することができ、さらに位相差のずれを補償する場合に生じるカレントトランス３０の感度の変動をも補償することができるので、図４（ｆ）に示す理想的な水平偏向電流ＩＨを得ることができる。その結果、本発明に係る往復偏向回路では、温度変化があった場合でも往路走査および復路走査における水平方向の画素の位置ずれを正確に補正することができる。
【０１０４】
本発明の実施の形態においては、電圧発生回路２０が水平偏向電流供給手段に相当し、カレントトランス３０が電流検出手段に相当し、振幅変動補正回路５０が電流制御手段に相当し、サーミスタ３００が第１の補償手段に相当し、抵抗５７が電圧検出手段に相当し、位相比較器５１，ローパスフィルタ回路５２，減衰器５３，コンパレータ５６が制御電圧発生手段に相当し、パワーアンプ５５が増幅手段に相当し、サーミスタ３０１が第２の補償手段に相当し、パルス生成回路１０が第１のタイミング検出手段に相当し、コンパレータ５６が第２のタイミング検出手段に相当し、ＣＲＴ７が陰極線管に相当し、水平偏向回路６が往復偏向回路に相当し、位相比較器５１，ローパスフィルタ回路５２，減衰器５３が制御電圧出力手段に相当する。
【０１０５】
（基本計算式の導出）
次に、トランス結合回路の入出力電圧電流位相特性の基本計算について説明する。ここでは、結合回路を有するトランスの周囲温度変化によるインダクタンスの変化が入出力特性の位相に及ぼす影響を検討する。
【０１０６】
まず、相互インダクタンス値を含む計算について説明する。相互インダクタンスを含むトランスの等価回路を図１２に示す。ここで、１次巻線と２次巻線との巻数比Ｎは以下の式で表され、１〜２次相互インダクタンスＭは以下の式で表され、実効出力抵抗Ｒ２０は以下の式で表される。
【０１０７】
【数１３】
2004282520.tif 000015
【０１０８】
【数１４】
2004282520.tif 000016
【０１０９】
【数１５】
2004282520.tif 000017
【０１１０】
また、各定数を表１に示す。
【０１１１】
【表１】
2004282520.tif 000018
【０１１２】
相互インダクタンスＭを含む回路は、２つの回路が電磁的に結合された回路として示される。次に、この等価回路を用いて入出力電圧電流の関係を求める。
【０１１３】
図１２の等価回路において、電圧、電流を正弦波とすると、Ｅ、Ｉ１、Ｉ２、Ｖ２、ＶＯの関係は、以下の式で示される。
【０１１４】
【数１６】
2004282520.tif 000019
【０１１５】
【数１７】
2004282520.tif 000020
【０１１６】
ここで、
【０１１７】
【数１８】
2004282520.tif 000021
【０１１８】
【数１９】
2004282520.tif 000022
【０１１９】
とおけば、Ｉ１、Ｉ２、Ｖ２、ＶＯは以下に求められる。
【０１２０】
【数２０】
2004282520.tif 000023
【０１２１】
【数２１】
2004282520.tif 000024
【０１２２】
【数２２】
2004282520.tif 000025
【０１２３】
【数２３】
2004282520.tif 000026
【０１２４】
一方、１次側から見た入力インピーダンスは、次式で示される。
【０１２５】
【数２４】
2004282520.tif 000027
【０１２６】
以上により電圧電流および入力インピーダンスの関係が求められた。
次に、式（１９）の各定数を代入整理すると、Ｉ１、Ｉ２、Ｚは以下のように示される。
【０１２７】
【数２５】
2004282520.tif 000028
【０１２８】
【数２６】
2004282520.tif 000029
【０１２９】
【数２７】
2004282520.tif 000030
【０１３０】
ここで、インピーダンスＺは見掛け上抵抗成分が増加し、インダクタンス成分が減少する。ここで、
【０１３１】
【数２８】
2004282520.tif 000031
【０１３２】
【数２９】
2004282520.tif 000032
【０１３３】
【数３０】
2004282520.tif 000033
【０１３４】
の結合係数Ｋの関係式を代入すると
【０１３５】
【数３１】
2004282520.tif 000034
【０１３６】
【数３２】
2004282520.tif 000035
【０１３７】
【数３３】
2004282520.tif 000036
【０１３８】
と表される。以上、入出力電圧電流の関係式を結合係数と２次インダクタンスとを用いて示した。
【０１３９】
次に、１次電流と２次出力電圧の位相差計算について説明する。電流Ｉ１、Ｉ２の式（３１），式（３２）において、分子、分母の各抵抗成分とイマジナリ成分についてａ，ｂ，ｃ，ｄ，ｅと記号化して再表示する。
【０１４０】
ここで、ａ，ｂ，ｃ，ｄ，ｅの各係数は、
【０１４１】
【数３４】
2004282520.tif 000037
【０１４２】
となり、電流Ｉ１、Ｉ２は次式で表される。
【０１４３】
【数３５】
2004282520.tif 000038
【０１４４】
【数３６】
2004282520.tif 000039
【０１４５】
電流Ｉ１、Ｉ２の位相各θ１，θ２は、式（３５），式（３６）から次式で表される。
【０１４６】
【数３７】
2004282520.tif 000040
【０１４７】
【数３８】
2004282520.tif 000041
【０１４８】
出力電圧Ｖ２と電流Ｉ２との位相は同相であることから、電流Ｉ１と出力電圧Ｖ２との位相差Δθはθ１とθ２との差となる。
【０１４９】
【数３９】
2004282520.tif 000042
【０１５０】
Δθが結合回路を有するトランスの入力電流と出力電圧との位相差を表すことになる。この結果から、定数変化に対する位相差が求められる。なお、式（３５）〜式（３８）の各定数は、以下のようになる。
【０１５１】
【数４０】
2004282520.tif 000043
【０１５２】
続いて、１次電流対２次出力電圧の感度計算について説明する。入力電流と出力電圧の比を感度と定義すれば、式（２３），式（３１），式（３２）の変形から感度Ｄは、次式で表される。
【０１５３】
【数４１】
2004282520.tif 000044
【０１５４】
式（４１）によれば、感度Ｄは結合係数Ｋおよび出力抵抗ＲＶ  に比例し、トランス巻数比ｎに反比例する。
【０１５５】
次に、カレントトランスの入出力電圧電流位相特性について説明する。まず、以上に誘導した計算式を用いて、近似式を算出しその精度を検証する。誘導した計算式に、実際回路で使用している定数を代入して、入出力電圧電流と位相差について各係数の大きさを比較吟味して近似式を算出する。
【０１５６】
ここで、実験使用トランスの代表数値を示す。１次２次の各定数は、メーカカタログ、実測値および実験値から以下の表に示される。
【０１５７】
【表２】
2004282520.tif 000045
【０１５８】
また、式（３４），式（４０）の各定数は以下の表に示すように計算される。
【０１５９】
【表３】
2004282520.tif 000046
【０１６０】
以上の計算結果から、以下の関係式が近似的に成立する。
ａ／ｂ＜０．１
ａｄ−ｂｃ／ａｃ＋ｂｄ＜０．１９
ａｃ≪ｂｄ
次に、入出力電流電圧近似式について説明する。入出力電流Ｉ１  ，Ｉ２  の式（３１），式（３２）の分母は、Ｒ２０≪ωＬ２  の結果から以下に近似される。
【０１６１】
【数４２】
2004282520.tif 000047
【０１６２】
この結果を、式（３１），式（３２）に代入すると以下のようになる。
【０１６３】
【数４３】
2004282520.tif 000048
【０１６４】
【数４４】
2004282520.tif 000049
【０１６５】
【数４５】
2004282520.tif 000050
【０１６６】
また、出力電圧Ｖ２，ＶＯの式（２２），式（２３）は、以下のように近似される。
【０１６７】
【数４６】
2004282520.tif 000051
【０１６８】
【数４７】
2004282520.tif 000052
【０１６９】
以上の計算結果から以下のことがわかる。
Ｉ１  は１次抵抗に１／ｎ２  倍した２次抵抗を足したもので入力電源を除した値となる。Ｉ２  はＩ１  の約１／ｎの電流となり、結合定数に比例する。
【０１７０】
次に、位相角近似式について説明する。
位相角θ１、θ２の式（３７），式（３８）は
【０１７１】
【数４８】
2004282520.tif 000053
【０１７２】
【数４９】
2004282520.tif 000054
【０１７３】
【数５０】
2004282520.tif 000055
【０１７４】
の結果から、以下に近似される。
【０１７５】
【数５１】
2004282520.tif 000056
【０１７６】
【数５２】
2004282520.tif 000057
【０１７７】
Ｉ１とＶ２との位相差Δθは、式（５１），式（５２）および式（３９）から次式で表される。
【０１７８】
【数５３】
2004282520.tif 000058
【０１７９】
以上の計算結果から、入力電流と出力電流の位相差は、出力抵抗に比例し、２次インダクタンスおよび周波数にほぼ反比例し、トランスの結合係数の影響は受けにくいと言える。
【０１８０】
最後に、感度近似式について説明する。感度Ｄの式（５１）は、Ｒ２０／ωＬ２  ≪１の結果から以下に近似される。
【０１８１】
【数５４】
2004282520.tif 000059
【０１８２】
以上の計算結果から、感度は出力抵抗および結合係数に比例し、巻数にほぼ反比例する。
【０１８３】
【発明の効果】
本発明に係る往復偏向回路によれば、電流検出手段の温度特性が第１の補償手段により補償されるので、周囲の温度が変化しても、電流検出手段の入力電流と出力電圧との位相差のずれが生じない。したがって、補正手段により水平偏向電流の歪を補正することができる。その結果、温度変化があった場合でも往復偏向走査時の往路走査および復路走査における水平方向の画素の位置ずれを正確に補正することができ、垂直に一列に並ぶべき画素が往路走査および復路走査においてジグザグにずれるジグザグ状縦線障害の発生が防止され、歪のない映像信号を陰極線管に表示することができる。
【図面の簡単な説明】
【図１】本発明の実施の形態に係る映像表示装置の構成を示すブロック図
【図２】図１の水平偏向回路の構成を示す回路図
【図３】電圧発生回路の内部で発生する各種信号および電流の例を示す波形図
【図４】本実施の形態に係る振幅振動補正回路により発生する各種信号および電流の例を示す波形図
【図５】カレントトランスの温度特性を示すグラフ
【図６】サーミスタを挿入していない場合のカレントトランスおよびパワーアンプの回路図
【図７】サーミスタを挿入した場合のカレントトランスおよびパワーアンプの回路図
【図８】図７の水平偏向回路にサーミスタを挿入した場合の回路図
【図９】水平偏向コイルに流れる水平偏向電流の経時変化を説明するための図
【図１０】図９に示す水平偏向電流の電流波形に対応した表示画面の状態を説明するための図
【図１１】水平偏向電流の歪みを低減してジグザグ状縦線障害を防止するための構成を等価回路で示した回路図
【図１２】相互インダクタンスを含むトランスの等価回路
【符号の説明】
１  映像信号処理回路
２  色信号処理回路
３  同期信号分離回路
５  垂直偏向回路
６  水平偏向回路
７  陰極線管（ＣＲＴ）
１０  パルス生成回路
２０  電圧発生回路
２１  位相比較器
２２  ローパスフィルタ（ＬＰＦ）回路
２３  パルス幅制御部
２４  スイッチング回路
２６  コンパレータ
２４ａ，２４ｂ  トランジスタ
２４ｃ，２４ｄ  ダイオード
３０  カレントトランス
４０  共振回路
４１  共振コンデンサ
５０  振幅変動補正回路
５１  位相比較器
５２  ローパスフィルタ（ＬＰＦ）回路
５３  減衰器
５５  パワーアンプ
５５ａ，５５ｃ  抵抗
５５ｂ  オペアンプ
５６  コンパレータ
５７  抵抗
１００  映像表示装置
３００  ＰＴＣ（正温度係数）サーミスタ
３０１  ＮＴＣ（負温度係数）サーミスタ
【図１】
2004282520.tif 000060
【図２】
2004282520.tif 000061
【図３】
2004282520.tif 000062
【図４】
2004282520.tif 000063
【図５】
2004282520.tif 000064
【図６】
2004282520.tif 000065
【図７】
2004282520.tif 000066
【図８】
2004282520.tif 000067
【図９】
2004282520.tif 000068
【図１０】
2004282520.tif 000069
【図１１】
2004282520.tif 000070
【図１２】
2004282520.tif 000071